(57)【特許請求の範囲】
【請求項１】
所定の情報が表示、又は記憶されたデータキャリアを備える第１の容器から、第２の容器に薬剤を移し替える第１の工程と、
該第１の工程の後に、前記データキャリアを読み取る第２の工程と、
該第２の工程の後に、前記データキャリアに基づき、前記薬剤を識別する所定の識別情報をラベルに印刷する第３の工程と、
を備える
医療用ラベルの提供方法。
【請求項２】
前記第１の工程の後であって、前記第２の工程の前に、前記データキャリアを読み取る読取部に前記第１の容器を投入する第４の工程と、を有する
請求項１記載の医療用ラベルの提供方法。
【請求項３】
前記第２の工程の後であって、前記第３の工程の前に、
データベースに予め記憶されている複数の所定の薬剤情報と、前記データキャリアとを照合する第５の工程と、を有する
請求項１又は請求項２記載の医療用ラベルの提供方法。
【請求項４】
前記第５の工程に基づき、前記照合した結果が適合した場合に前記第３の工程を行う、
請求項３記載の医療用ラベルの提供方法。
【請求項５】
前記第３の工程で印刷したラベルを、前記第２の容器に表示する第６の工程と、を有する、
請求項１から請求項４の何れか１項に記載の医療用ラベルの提供方法。
【請求項６】
容器投入口が形成された第１の領域と、
該容器投入口に投入される容器に備わる所定のデータキャリアを読み取る読取部が配置された第２の領域と、
前記第１の領域と前記第２の領域との間を移動可能とされ、前記容器投入口と前記読取部の下方に位置し、かつ回転軸が略水平とされた第1の容器回転ローラーと、
回転軸が、前記第１の容器回転ローラーの回転軸と略平行とされ、前記第１の容器回転ローラーと同一方向に回転可能とされるとともに、前記第１の領域と前記第２の領域との間を前記第1の容器回転ローラーと共に移動可能とされ、かつ前記第１の容器回転ローラーに対して離れる方向に移動可能な第２の容器回転ローラーと、
前記読取部で読み取った前記データキャリアに基づき、薬剤を識別する所定の識別情報をラベルに印刷する印刷装置と、を備える
医療用ラベルの出力装置。
【請求項７】
前記医療用ラベルの出力装置は、
複数の所定の薬剤情報が予め記憶されたデータベースと、
該データベースに記憶された複数の所定の薬剤情報の中から、前記容器に表示された前記データキャリアに対応する所定の薬剤情報を照合する照合手段と、を有する
請求項６記載の医療用ラベルの出力装置。
【発明の詳細な説明】
【技術分野】
【０００１】
本発明は、医療用ラベルの提供方法、及び医療用ラベルの出力装置に関する。詳しくは、薬剤の取り違えや投薬量の間違い等の人為的ミスによる医療事故を未然に防止することができる、医療用ラベルの提供方法、及び医療用ラベルの出力装置である。
【背景技術】
【０００２】
例えば、医療現場においては、アンプルやバイアル等の容器に充填された薬剤を、薬剤名の表記がない注射器等に事前に移し替え、患者に投与したり、点滴の輸液容器に混注して使用したりしている。この場合、注射器等に移し替えられた薬剤名、数量、及び使用した日時等を識別する必要がある。
【０００３】
一方で、薬剤を注射器等に移し替える時は、医療従事者の両手は塞がっているため、例えば、注射器等に移し替えられた薬剤を識別するためには、薬剤を注射器等に移し替えた後に、医療従事者の記憶に基づいて、使用した薬剤名、使用日時等を手書きで記載したメモを注射器等に貼り付けているのが現状である。また、事前に薬剤を移し替えた注射器等が複数ある場合は、実際に患者へ投与する際に、間違った注射器を選択してしまう可能性もある。
【０００４】
このように、医療従事者の記憶に基づく事後的な入力方法では、記憶違いによる薬剤名の記載間違い、乱雑な文字による薬剤名の判読不能、記載したメモ用紙の脱落等といった人為的ミスに基づく医療事故の危険性が問題となっている。
【０００５】
このような課題に対して、本出願人は特許文献１において、容器に付された所定の情報を読み取る容器の認識装置を提案している。
【０００６】
具体的には、図８に示すように、バーコードが貼付けされた図示しない容器を、容器投入シュート１０１に投入すると、該容器投入シュート１０１よりも下方に位置する第１の回転ローラー１０２と第２の回転ローラー１０３に容器が回転保持される。この状態で容器に付されたバーコードを読取部１０４で読み取り、読み取ったバーコード番号と、図示しないパーソナルコンピュータの記憶部に記憶されているデータベースとを照合し、特定した薬剤情報を、例えばパーソナルコンピュータのモニタに表示される。
【０００７】
医療従事者はモニタに表示された薬剤情報をラベルに手書きで記載し、記載したラベルを注射薬に貼付することで、医療従事者の薬剤情報の記憶違いによる人為的ミスを防止することができる。また、薬剤情報がパーソナルコンピュータに自動入力されるため、使用した薬剤の管理も容易に行うことができる。
【０００８】
また、特許文献２には、図９に示すような薬剤管理用多層ラベルが開示されている。具体的には、薬剤情報を予め印刷された上層ラベル２０１と下層ラベル２０２の２枚のラベルが剥離可能に接着され、上層ラベル２０１をめくり取り、注射器等に貼付することで、注射器等に移し替えられた薬剤情報を正確に識別することができるとともに、容器に残った下層ラベル２０２も同様の薬剤情報が記載されているため、使用した薬剤の管理も正確に行うことができる。
【先行技術文献】
【特許文献】
【０００９】
【特許文献１】特開２０１４−１１７３１７号公報
【特許文献２】特開２００２−１３２１５４号公報
【発明の概要】
【発明が解決しようとする課題】
【００１０】
ここで、特許文献１に記載の容器の認識装置においては、医療従事者の記憶違いによる薬剤情報の記載ミスは防止することができるが、表示部に表示された薬剤情報をラベルに転記する際の記載間違い、乱雑な文字による判読不能となることに起因する人為的ミスは依然として懸念される。
【００１１】
一方、特許文献２に記載の薬剤用ラベルでは、上層ラベルと下層ラベルの少なくとも２枚のラベルを準備しなければならず、構成が複雑となり、製品コストが増大する。
【００１２】
また、ラベルを容器に貼り付ける際には、印刷された表示内容に誤りがないか厳重に検査する必要があるが、特許文献２に記載の薬剤用ラベルでは、上層ラベルと下層ラベルのそれぞれについて検査する必要があるため、検査に要する工数も増大してしまう。
【００１３】
更に、上層ラベルは剥離可能なように貼付されているため、粘着面積が小さく、粘着力も弱いため、上層ラベルを剥がして注射器に貼付した後に、注射器から上層ラベルが剥がれ落ちる可能性もある。
【００１４】
本発明は、以上の点に鑑みて創案されたものであって、薬剤の取り違えや投薬量の間違い等の人為的ミスによる医療事故を未然に防止することができる、医療用ラベルの提供方法、及び医療用ラベルの出力装置を提供することを目的とするものである。
【課題を解決するための手段】
【００１５】
上記の目的を達成するために、本発明に係る医療用ラベルの提供方法は、所定の情報が表示、又は記憶されたデータキャリアを備える第１の容器から、第２の容器に薬剤を移し替える第１の工程と、該第１の工程の後に、前記第１の工程の後に、前記データキャリアを読み取る第２の工程と、該第２の工程の後に、前記データキャリアに基づき、前記薬剤を識別する所定の識別情報をラベルに印刷する第３の工程とを備える。
【００１６】
ここで、第１の容器に所定の情報が表示、又は記憶されたデータキャリアを備えることにより、医療従事者は第１の容器に充填されている薬剤を容易に認識することができる。
【００１７】
また、データキャリアを備える第１の容器から、第２の容器に薬剤を移し替える第１の工程を有することにより、第２の容器に充填すべき薬剤を取り違えることなく確実に移し替えることができる。
【００１８】
また、第１の容器から第２の容器に移し替えた直後に、第１の容器に備わるデータキャリアを読み取る第２の工程を有することにより、容器（第１の容器）を取り違えることなく、確実にデータキャリアを読み取ることができる。
【００１９】
また、データキャリアに基づき、薬剤を識別する所定の識別情報をラベルに印刷して出力する工程を有することにより、データキャリアに対応する、第２の容器に移し替えられた薬剤の識別情報がラベルに印刷されるため、医療従事者は自ら薬剤情報を記載する必要がなく、乱雑な文字等に起因する人為的ミスを防止することができる。
また、識別情報として、例えば薬品分類、量、濃度等を、文字、色、数字等でラベルに印字し出力されることで、医療従事者は、第２の容器に充填されている薬剤情報を容易に認識することができる。
【００２０】
また、第１の工程の後であって、第２の工程の前に、データキャリアを読み取る読取部に第１の容器を投入する第４の工程を有する場合には、第１の容器に所定の情報が表示、又は記憶されたデータキャリアを確実に読み取ることができる。
【００２１】
また、第２の工程の後であって、第３の工程の前に、データベースに予め記憶されている複数の所定の薬剤情報と、データキャリアとを照合する第５の工程を有する場合には、例えば、データキャリアがバーコードである場合には、バーコードに対応する複数の薬剤情報が予め登録されたデータベースの中から、第２の工程で読み取ったバーコード情報に対応する薬剤情報を確実に呼び出すことができる。
【００２２】
また、第５の工程に基づき、照合した結果が適合した場合に第３の工程を行う場合には、第１の容器に表示されたバーコード情報に対応するデータベースに登録されている薬剤情報を正確に印刷することができる。
また、照合結果が適合しない場合には、印刷が行われないため、誤った識別情報が付されたラベルを第２の容器に貼付ける虞がない。
更に、印刷が行われないことにより、データベースに記憶されていない薬剤情報を認識することができるため、データベースの追加登録も容易に行うことができる。
【００２３】
また、第３の工程で印刷したラベルを、第２の容器に表示する第６の工程を有する場合には、第１の容器に備わるデータキャリアに記憶された所定の薬剤情報に対応する、所定の識別情報が印字されたラベルを、第２の容器に確実に表示させることができる。
【００２４】
上記の目的を達成するために、本発明に係る医療用ラベルの出力装置は、容器投入口が形成された第１の領域と、該容器投入口に投入される容器に備わる所定のデータキャリアを読み取る読取部が配置された第２の領域と、前記第１の領域と前記第２の領域との間を移動可能とされ、前記容器投入口と前記読取部の下方に位置し、かつ回転軸が略水平とされた第１の回転ローラーと、回転軸が、前記第１の回転ローラーの回転軸と略平行とされ、前記第１の回転ローラーと同一方向に回転可能とされるとともに、前記第１の領域と前記第２の領域との間を前記第１の回転ローラーと共に移動可能とされ、かつ前記第１の回転ローラーに対して離れる方向に移動可能な第２の回転ローラーと、前記読取部で読み取った前記データキャリアに基づき、薬剤を識別する所定の識別情報をラベルに印刷する印刷装置と、を備える。
【００２５】
ここで、容器投入口が形成された第１の領域を有することにより、容器を医療用ラベルの出力装置に確実に投入することができる。
【００２６】
また、容器投入口に投入される容器に備わる所定のデータキャリアを読み取る読取部が配置された第２の領域を有することにより、容器投入口から投入された容器に備わるコード情報を確実に読み取ることができる。
【００２７】
また、第１の領域と第２の領域との間を移動可能とされ、容器投入口と読取部の下方に位置し、かつ回転軸が略水平とされた第１の回転ローラーと第２の回転ローラーとを有することにより、容器が投入された第１の領域から、所定のデータキャリアを読み取る読取部が配置された第２の領域まで容器を移動させることができる。従って、容器に備わる所定の情報が表示、又は記憶されたデータキャリアを読取部で確実に読み取ることができる。
【００２８】
また、第２の回転ローラーの回転軸が、第１の回転ローラーの回転軸と略平行とされ、第１の回転ローラーと同一方向に回転可能とされることにより、容器投入口から投入された容器を、第１の回転ローラーと第２の回転ローラーで保持するとともに、同一方向へ回転させることができる。即ち、容器を同一方向へ回転させることで、容器に備わる所定の情報が表示、又は記憶されたデータキャリアを読取部で確実に読み取ることができる。
【００２９】
また、回転軸が、第１の領域と前記第２の領域との間を第１の回転ローラーと共に移動可能とされる第２の回転ローラーを有することにより、容器投入口から投入された容器を、第１の回転ローラーと第２の回転ローラーにより保持した状態で、第１の領域から読取部の位置する第２の領域まで移動させることができる。従って、容器に備わる所定の情報が表示、又は記憶されたデータキャリアを読取部で確実に読み取ることができる。
【００３０】
また、第１の回転ローラーに対して離れる方向に移動可能な第２の回転ローラーを有することにより、第１の回転ローラーと第２の回転ローラーで保持された容器を、第１の回転ローラーと第２の回転ローラーとの間から落下させることができる。即ち、読取部で読み取った容器を落下させることで、次に投入された容器を再度第１の回転ローラーと第２の回転ローラーで保持することができる。
【００３１】
また、読取部で読み取ったデータキャリアに基づき、薬剤を識別する所定の識別情報をラベルに印刷する印刷装置を有することにより、第１の容器から第２の容器に移し替えた薬剤に関する識別情報を、印刷装置で自動的に印刷させることができる。従って、医療従事者は、自身の記憶に頼らずに第２の容器に移し替えられた薬剤に関する識別情報をラベルとして取得することができる。
【００３２】
また、医療用ラベルの出力装置が、複数の所定の薬剤情報が予め記憶されたデータベースと、データベースに記憶された複数の所定の薬剤情報の中から、データキャリアに対応する所定の薬剤情報を照合する照合手段を有する場合には、データベースに登録されている所定の薬剤情報の中から、データキャリアに対応する薬剤情報を確実に呼び出すことができる。
【図面の簡単な説明】
【００３３】
【図１】本発明を適用した医療用ラベルの出力装置に関するシステム図である。
【図２】本発明を適用した医療用ラベルの出力装置の正面模式図である。
【図３】本発明を適用した医療用ラベルの出力装置の平面模式図である。
【図４】本発明を適用した医療用ラベルの出力装置において、容器回転保持部の連結機構の一例を説明するための側面模式図（Ａ）、ローラー支持板部のピン挿通用穴の一例を説明するための平面模式図（Ｂ）、容器回転保持部の連結機構の一例を説明するための要部拡大模式図（Ｃ）である。
【図５】本発明を適用した医療用ラベルの出力装置において、容器の投入時の作用状態を説明するための模式図（Ａ）及び、本発明を適用した容器の認識装置において容器の搬送時の作用状態を説明するための模式図（Ｂ）である。
【図６】本発明を適用した医療用ラベルの出力装置において、容器の廃棄時の作用状態を説明するための模式図（Ａ）及び、本発明を適用した容器の認識装置において容器の廃棄後の作用状態を説明するための模式図（Ｂ）である。
【図７】本発明を適用した医療用ラベルの出力装置において出力したラベルの一例である。
【図８】従来技術を示す図である。
【図９】従来技術を示す図である。
【発明を実施するための形態】
【００３４】
以下、本発明の実施の形態について、図面を参酌しながら説明し、本発明の理解に供する。
【００３５】
まず、本発明を適用した実施形態に係る医療用ラベルの出力装置１の全体システム図について、図１を用いて説明する。医療用ラベルの出力装置１は、読取部７、データベース３１、印刷装置３２、モニタ１１がそれぞれ相互にバスライン３３を介して接続されている。
【００３６】
読取部７は、例えばアンプル、バイアル、又はシリンジ等の容器Ａ（特許請求の範囲に記載の「第１の容器」に該当する。）に備わる図示しないデータキャリアとしてのバーコード、ＲＦＩＤ（Ｒａｄｉｏ  Ｆｒｅｑｕｅｎｃｙ  ＩＤｅｎｔｉｆｉｃａｔｉｏｎ）コード等を読み取る読取装置であり、例えばバーコードを読み取るためのバーコードリーダー、ＲＦＩＤコードを読み取るためのＲＦＩＤコードリーダー等である。
【００３７】
ここで、必ずしも、容器Ａに備わるバーコード、及びＲＦＩＤコードは、容器Ａに直接表示されている必要はない。例えば、バーコード、及びＲＦＩＤコードが印刷されたラベルが容器Ａに貼付けられ、又は非接触ＩＣカードが、容器にタグとして取り付けられていてもよい。
【００３８】
データベース３１には、容器Ａに表示されたバーコードに対応する薬剤情報として、後述する印刷装置から出力するラベル３４に印字する薬品名、薬品分類、規格、濃度、容器Ａに表示、又は対応するバーコード、及び色又は模様等が記憶されている。
【００３９】
ここで、必ずしも、データベース３１を有している必要はない。例えば、容器ＡのデータキャリアがＲＦＩＤコードの場合には、ＲＦＩＤにこれら所定の薬剤情報を記憶させることができる。
【００４０】
印刷装置３２は、読取部７で読み取った容器Ａに記憶されたデータキャリア、又はデータベース３１に記憶されている薬品名、薬品分類、規格、濃度、容器Ａに表示、又は対応するバーコード、及び色又は模様等をラベル３４に印字して出力する。
【００４１】
モニタ１１は、読取部７で読み取った容器Ａに記憶されたデータキャリア、又はデータベース３１に記憶されている薬品名、薬品分類、規格、濃度、容器Ａに表示、又は対応するバーコード、及び色又は模様等が表示され、医療従事者はモニタ１１を通じて、ラベル３４に印刷される識別情報を事前に把握することができる。
【００４２】
ここで、必ずしも、モニタ１１を有している必要はない。例えば、読取部７で読み取ったデータキャリア、又はデータベースに記憶されている情報を音声により医療従事者に伝達してもよい。但し、モニタ１１を有することで、医療従事者は薬剤情報を視覚的に確認することができるため、音声情報よりも正確に薬剤情報を把握することができる。
【００４３】
次に、医療用ラベルの出力装置１の機械的な構成について図２を用いて説明する。医療用ラベルの出力装置１は、筺体２に開口された容器投入口３と、この筺体２内に配置された第１の回転ローラー４、及び第２の回転ローラー５から成る容器回転保持部６、読取部７、印刷装置３２とから構成されている。
【００４４】
ここで、筺体２は、その上面が天端８から下向きに傾斜された傾斜面９及びこの傾斜面９の下端から水平状に延びたテーブル面１０とから形成されている。更に、傾斜面９にはタッチパネル式のモニタ１１が取付けられ、テーブル面１０には容器投入口３が開口されている。
【００４５】
更に、容器投入口３の開口縁の下方には、互いの先端が当接することで断面がＶ字形状に形成されるガイド板１４、１４Ａが配置されている。
ここで、ガイド板１４は、テーブル面１０に取り付けられ、ガイド板１４Ａは、テーブル面１０の下側に配置されたプーリー（２３Ｃ、２３Ｃ）間に装着された搬送用ベルト２５Ａに取り付けられている。
【００４６】
また、筺体２の内壁には駆動モーター２２Ｃが取り付けられ、この駆動モーター２２Ｃの駆動軸２１Ｂとプーリー２３Ｃが無端ベルト２４Ｂで連結されている。
これにより、駆動モーター２２Ｃの正，逆回転で搬送用ベルト２５Ａに固定されたガイド板１４Ａをガイド板１４に当接させることで容器Ａを保持、又はガイド板１４に対して離間させることで容器Ａを下方に落下させることが可能となる。
【００４７】
また、筺体２内には、容器投入口３の下方に位置する第１の領域１５と、筺体２の天端８の下面の撮像装置７の下方に位置する第２の領域１６が形成されている。
【００４８】
また、筺体２内に配置された容器回転保持部６の下方位置に、第１の領域１５から第２の領域１６に渡って形成された容器収納部１２が設けられている。
【００４９】
この容器収納部１２の底部１３は、第２の領域１６から第１の領域１５に向けて下向きに傾斜状とされることで容器収納部１２内に投下された容器Ａは容器収納部１２の引き出し側へ集積される構成とされている。
【００５０】
ここで、必ずしも、容器収納部１２が、第２の領域１６から第１の領域１５に向けて下方向へ傾斜した底面を有する必要性はない。但し、回収された容器Ａが廃棄し易くなるという点において、第２の領域１６から第１の領域１５に向けて下方向へ傾斜した底面とすることが望ましい。
【００５１】
また、読取部７は、光学系ＣＣＤ等の撮像素子を用いて構成されたバーコードリーダーであり、容器Ａに備わるバーコードの情報を読み取ることが可能となっている。
【００５２】
ここで、必ずしも、読取部７はバーコードリーダーである必要はなく、読取部７で読み取るべき容器Ａのデータキャリアの種類に応じて、適宜変更することができる。
例えば、データキャリアがＲＦＩＤコードであれば、読取部７としてＲＦＩＤコードリーダーを設けることができる。
【００５３】
読取部７で読み取られたバーコードの情報は、事前にデータベース３１に登録されている複数の薬剤情報と照合され、照合の結果、適合した薬剤に関する薬品名、薬品分類、規格、濃度、容器Ａに表示、又は対応するバーコード、及び色又は模様等がモニタ１１に表示される。
【００５４】
なお、読取部７において、ＲＦＩＤコードが読み取られる場合には、ＲＦＩＤコードに記憶されている薬剤に関する薬品名、薬品分類、規格、濃度、容器Ａに表示、又は対応するバーコード、及び色又は模様等がモニタ１１に表示される。
【００５５】
医療従事者は、モニタ１１に表示された薬剤情報に間違いがないことを確認すると、例えば、モニタ１１の画面上に表示されているタッチパネル式の「印刷」ボタンを押すと、印刷指示がバスライン３３を通じて印刷装置３２に指示される。
【００５６】
ここで、必ずしも、モニタ１１はタッチパネル式である必要はない。例えば、「印刷」ボタンは印刷装置３２の本体部に設けていてもよい。
【００５７】
また、必ずしも、「印刷」ボタンを押すことでラベル３４が印刷される必要はない。容器Ａに表示されたバーコード、又はＲＦＩＤコードを読取部７で読み取るのと同時に、印刷装置３２に対して印刷の指示がされてもよい。
【００５８】
印刷装置３２は、筐体２の天端８に載置されており、例えば各色が独立したインクカートリッジ、及びロールタイプの型抜きラベルが備えられている。
【００５９】
ここで、必ずしも、印刷装置３２は筐体２の天端８に載置されている必要はなく、医療従事者の作業性を考慮して、設置場所は適宜変更することできる。
【００６０】
印刷の指示を受けた印刷装置３２は、例えば図７に示すような薬剤に関する薬品名、薬品分類、規格、濃度、容器Ａに表示、又は対応するバーコード、及び色又は模様等をラベル３４に印字し出力する。出力されたラベル３４は、医療従事者により取り出され、注射器、及び点滴の輸液容器に貼付けられる。
【００６１】
ここで、必ずしも、医療従事者により取り出されたラベル３４を、注射器、及び点滴の輸液容器に貼付ける必要はない。例えば、点滴の輸液容器に取り付けられたラベル投入口に投入してもよい。或いは、点滴の輸液容器にクリップで取り付けてもよい。
【００６２】
次に、第１の領域１５と第２の領域１６との間に、水平状のレール部（１７、１７Ａ）が配置されており、このレール部（１７、１７Ａ）に、容器回転保持部６が第１の領域１５と第２の領域１６間を往復動自在な状態で設けられている。
【００６３】
ここで、必ずしも、水平上のレール部（１７、１７Ａ）により、第１の回転ローラーと第２の回転ローラーは、水平方向へ移動可能な構成とする必要性はない。但し、容器を安定した状態で移動させることができるという点においては、第１の回転ローラーと第２の回転ローラーは、水平方向へ移動可能な構成とすることが望ましい。
【００６４】
次に、図３に示すように、筺体２内に一定間隔を設けて水平状に取付けられたレール部（１７、１７Ａ）に対して直交状にローラー支持板部１８が嵌合され、かつレール部（１７、１７Ａ）の長手方向へ摺動可能とされている。
【００６５】
更に、ローラー支持板部１８上には軸受部（１９、１９）が立設されると共に、この軸受部（１９、１９）間に、第１の回転ローラー４の回転軸２０が挿通されることで第１の回転ローラー４が回転自在な状態で支持された構成とされている。
【００６６】
また、ローラー支持板部１８上には、駆動モーター２２が取付けられている。この駆動モーター２２の駆動軸２１は、第１の回転ローラー４の回転軸２０と平行状となるような構成とされている。
【００６７】
更に、駆動モーター２２の駆動軸２１と第１の回転ローラー４の一方の回転軸２０にプーリー（２３、２３）が取付けられると共に、このプーリー（２３、２３）間に無端ベルト２４が装着された構成とされている。
【００６８】
また、ローラー支持部１８に対向するようにレール部（１７、１７Ａ）に対して直交状にローラー支持板部１８Ａが嵌合され、かつレール部（１７、１７Ａ）の長手方向へ摺動可能とされている。
【００６９】
更に、ローラー支持板部１８Ａ上には軸受部（１９Ａ、１９Ａ）が立設されると共に、この軸受部（１９Ａ、１９Ａ）間に、第２の回転ローラー５の回転軸２０Ａが挿通されることで第２の回転ローラー５が回転自在な状態で支持された構成とされている。
【００７０】
また、ローラー支持板部１８Ａ上には、駆動モーター２２Ａが取付けられている。この駆動モーター２２Ａの駆動軸２１は、第２の回転ローラー５の回転軸２０Ａと平行状となるような構成とされている。
【００７１】
更に、駆動モーター２２Ａの駆動軸２１Ａと第２の回転ローラー５の一方の回転軸２０Ａにプーリー（２３Ａ、２３Ａ）が取付けられると共に、このプーリー（２３Ａ、２３Ａ）間に無端ベルト２４Ａが装着された構成とされている。
【００７２】
このような構成とすることにより、第１の回転ローラー４及び第２の回転ローラー５を駆動モーター（２２、２２Ａ）で同一方向、かつ同速度で回転させることが可能となる。
【００７３】
また、レール部１７Ａの長手方向に沿って所定間隔を設けて、搬送用ベルト２５がローラー支持板部１８と直交した状態で連結されている。
【００７４】
更に、図４（Ａ）に示すように、搬送用ベルト２５は、レール部１７Ａの長手方向に配置されたプーリー（２３Ｂ、２３Ｂ）間に渡設されると共に、一方のプーリー２３Ｂに駆動モーター２２Ｂの駆動軸（図示せず）が取付けられている。
【００７５】
これにより、駆動モーター２２Ｂを正、逆駆動回転させることで搬送用ベルト部２５と連結されたローラー支持板部１８が、レール部（１７、１７Ａ）の長手方向に沿って摺動可能となる。
【００７６】
また、図４（Ｂ）に示すように、ローラー支持板部１８Ａのレール部１７Ａ側の一端には、ピン挿通用穴２６が開設されている。
【００７７】
更に、図４（Ｃ）に示すように、第１の回転ローラー４のローラー支持板部１８の一端には、ローラー支持板部１８Ａの一端に設けられたピン挿通用穴２６方向に向けてローラー連結用ピンソレノイド２７が取付けられている。
【００７８】
このローラー連結用ピンソレノイド２７は、ローラー支持板部１８の一端にＬ字形状に折り曲げ形成されたソレノイド支持板部２８に取付けられている。更に、ローラー連結用ピンソレノイド２７の下部には、ローラー支持板部１８Ａの一端に設けられたピン挿通用穴２６内に上方から出し入れ可能とされたピン２９が設けられている。
【００７９】
このピン２９は、制御部（図示せず。）からの電気信号によってソレノイドを作動させてピン２９の出し入れを自在に行うことができる機構とされている。
【００８０】
ここで、第１の回転ローラー４のローラー支持板部１８に、第２の回転ローラー５のローラー支持板部１８がソレノイド支持板部２８に当接するまで移動させる。
【００８１】
これにより第１の回転ローラー４と第２の回転ローラー５は一定の間隔を保持した状態で停止されると共に、ローラー支持板部１８Ａの一端に設けられたピン挿通用穴２６とピン２９とが同一軸線の位置となる。
【００８２】
このような状態からソレノイドを作動させてピン２９をピン挿通用穴２６に挿通させることでローラー支持板部（１８、１８Ａ）は互いに連結された状態となりレール部（１７、１７Ａ）の長手方向に沿って摺動可能となる。
【００８３】
次に、初期設定時の容器回転保持部６は、図５（Ａ）に示す通り、第１の領域１５で第１の回転ローラー４と第２の回転ローラー５が一定の間隔を保持した状態でローラー連結用ピンソレノイド２７のピン２９によって互いに連結されている。
【００８４】
このような状態から容器投入口３から容器Ａを投入することで上述したように、ガイド板（１４、１４Ａ）によって正常な状態で保持される。
【００８５】
ここで、搬送用ベルト２５Ａを回転させてガイド板１４Ａをガイド１４から離間させることで容器Ａは第１の回転ローラー４と第２の回転ローラー５との間で保持される。この時に、容器投入口３に指を差し入れている状態ではセンサー（図示せず。）が感知してガイド板（１４、１４Ａ）が互いに離間した状態を保持することで指の安全が保たれる。
【００８６】
更に、第１の回転ローラー４と第２の回転ローラー５との間で容器Ａが保持された状態で駆動モーター２２Ｂが作動し、搬送用ベルト２５を第１の領域１５から第２の領域１６方向へ回転させる。これにより、第１の回転ローラー４と第２の回転ローラー５が、図５（Ｂ）に示すように、第２の領域へ移動可能となる。
【００８７】
このようにして、第２の回転ローラー５のローラー支持板部１８Ａが第２の領域へ移動して後退端検出スイッチ３０に当接したときに、ローラー支持板部１８Ａを検知して駆動モーター２２Ｂを停止させる。
【００８８】
ここで、第１の回転ローラー４と第２の回転ローラー５を駆動モーター（２２、２２Ａ）で同一方向、かつ同速度で回転させることで容器Ａは保持された状態で回転する。
【００８９】
このような状態で読取部７によって、容器Ａに備わるバーコードが読み取られ、事前にデータベース３１に入力記録されている複数の薬剤情報と照合され、照合の結果、適合した薬剤に関する薬品名、薬品分類、規格、濃度、容器Ａに表示、又は対応するバーコード、及び色又は模様等がモニタ１１に表示される。
【００９０】
なお、読取部７において、ＲＦＩＤコードが読み取られる場合には、ＲＦＩＤコードに記憶されている薬剤に関する薬品名、薬品分類、規格、濃度、容器Ａに表示、又は対応するバーコード、及び色又は模様等がモニタ１１に表示される。
【００９１】
医療従事者は、モニタ１１に表示された薬剤情報に間違いがないことを確認すると、例えば、モニタ１１の画面上に表示されている「印刷」ボタンを押すと、印刷指示がバスライン３３を通じて印刷装置３２に指示される。
【００９２】
印刷の指示を受けた印刷装置３２は、例えば図７に示すような薬剤に関する薬品名、薬品分類、規格、濃度、容器Ａに表示、又は対応するバーコード、及び色又は模様等をラベル３４に印字し出力する。出力されたラベル３４は、医療従事者により取り出され、注射器、又は点滴の輸液容器に貼付けられる。
【００９３】
ここで、読取部７による読み取りが完了すると、第１の回転ローラー４と第２の回転ローラー５の回転を停止させる。続いて、図６（Ａ）に示すように、制御部（図示せず。）からの電気信号によってローラー連結用ピンソレノイド２７を作動させてピン（図示せず。）をピン挿通用穴（図示せず。）から抜き出す。
【００９４】
これにより第１の回転ローラー４のローラー支持板部１８と第２の回転ローラー５のローラー支持板部１８との連結が解除される。
このような状態から駆動モーター２２Ｂを作動させて搬送用ベルト２５を第２の領域（図示せず。）から第１の領域（図示せず。）方向へ回転させることで第１の回転ローラー４が第２の回転ローラー５から離れる方向へ移動することとなる（図６（Ａ）参照）。
これにより、第１の回転ローラー４と第２の回転ローラー５とが離れて容器Ａは、下方の容器収納部１２内に収納される。
【００９５】
ここで、必ずしも、第２の回転ローラー５に対して第１の回転ローラー４が離れる方向へ移動可能な構成とする必要はない。例えば、第１の回転ローラー４に対して第２の回転ローラー５が離れる方向へ移動可能な構成とする、あるいは第１の回転ローラー４及び第２の回転ローラー５が互いに離れる方向へ移動可能な構成であっても構わない。
【００９６】
続いて、一定時間（約５秒間）経過後に、駆動モーター２２Ｂを作動させて搬送用ベルト２５を第１の領域１５から第２の領域１６方向へ回転させる。これにより、図６（Ｂ）に示すように、第２の回転ローラー５のローラー支持板部１８Ａに、第１の回転ローラー４のローラー支持板部１８のソレノイド支持板部（図示せず。）が当接するまで移動する。
【００９７】
ここで、制御部（図示せず。）からの電気信号によってローラー連結用ピンソレノイド２７を作動させてピン２９をピン挿通用穴内へ挿通させることで第１の回転ローラー４と第２の回転ローラー５を連結させる。
【００９８】
続いて、駆動モーター２２Ｂを作動させて搬送用ベルト２５を第２の領域から第１の領域方向へ回転させて第１の回転ローラー４と第２の回転ローラー５を第２の領域１６から第１の領域１５方向へ移動させる。
【００９９】
このようにして、第１の回転ローラー４のローラー支持板部１８が前進端検出スイッチ３１に当接したときに、ローラー支持板部１８を検知して駆動モーター２２Ｂを停止させて初期設定時の位置に復帰させる（図５（Ａ）参照）。
【０１００】
次に、本発明を適用した医療用ラベルの提供方法を説明する。
【０１０１】
＜ＳＴＥＰ１：容器を取り出す工程＞
先ず医療従事者は、使用する薬剤を確認した上で、充填されている薬剤に関するバーコード情報が表示されているアンプル、バイアル、又はシリンジ等の容器Ａを一方の手で保持する。
＜ＳＴＥＰ２：薬剤を移し替える工程＞
他方の手に保持した図示しない注射器で、一方の手に保持した容器Ａから薬剤を吸い取る（移し替える）。
＜ＳＴＥＰ３：容器を医療用ラベルの出力装置に投入する工程＞
他方の手には注射器を保持した状態で、一方の手に保持し、空になった容器Ａを医療用ラベルの出力装置１の容器投入口３に投入する。
＜ＳＴＥＰ４：バーコード情報を読み取る工程＞
容器投入口３に投入された容器Ａは第１の回転ローラー４と第２の回転ローラー５により保持され、読取部７で容器Ａに表示されたバーコード情報が読み取られる。
＜ＳＴＥＰ５：バーコード情報とデータベースの内容を照合する工程＞
読取部で読み取ったバーコード情報はバスライン３３を介してデータベース３１に送信され、データベース３１では、バーコード情報とデータベース３１に事前に登録されている複数の薬剤情報とが照合される。
＜ＳＴＥＰ６：薬剤情報をモニタに表示する工程＞
照合された結果、バーコード情報とデータベース３１に登録されている複数の薬剤情報の１つが適合すると、適合した薬剤情報がバスライン３３を介してモニタ１１に送信される。
＜ＳＴＥＰ７：印刷装置に印刷を指示する工程＞
医療従事者はモニタ１１を通じて、送信された薬剤情報を確認し、モニタ１１に表示された薬剤情報に間違いがないことを確認し、モニタ１１内の「印刷」ボタンを押すと、バスライン３３を介して印刷装置３２に印刷指示が送信される。
＜ＳＴＥＰ８：ラベルを出力する工程＞
印刷指示を受けた印刷装置３２は、所定の薬剤情報として、例えば薬品名、薬品分類、規格、濃度、容器Ａに表示、又は対応するバーコード、及び色又は模様等をラベル３４に印字して印刷装置３２から出力する。
＜ＳＴＥＰ９：ラベルを貼付ける工程＞
医療従事者は一方の手で、出力されたラベル３４を取り出し、他方の手に保持した注射器に貼付ける。
【０１０２】
ここで、容器に備わるデータキャリアとして、ＲＦＩＤコードが使用される場合には、ＲＦＩＤコードにラベル３４に印刷すべき薬剤情報が記憶されているため、＜ＳＴＥＰ５＞のデータベースとの照合する工程は不要となる。
【符号の説明】
【０１０３】
１            医療用ラベルの出力装置
２            筺体
３            容器投入口
４            第１の回転ローラー
５            第２の回転ローラー
６            容器回転保持部
７            読取部
８            天端
９            傾斜面
１０          テーブル面
１１          モニタ
１２          容器収納部
１３          底部
１４          ガイド板
１５          第１の領域
１６          第２の領域
１７、１７Ａ  レール部
１８、１８Ａ  ローラー支持板部
１９、１９Ａ  軸受部
２０、２０Ａ  回転軸
２１、２１Ａ  駆動軸
２２、２２Ａ、２２Ｂ  駆動モーター
２３、２３Ａ、２３Ｂ  プーリー
２４、２４Ａ  無端ベルト
２５          搬送用ベルト
２６          ピン挿通用穴
２７          ローラー連結用ピンソレノイド
２８          ソレノイド支持板部
２９          ピン
３０          後退検出スイッチ
３１          データベース
３２          印刷装置
３３          バスライン
３４          ラベル
Ａ            容器
【図１】
0006479630.tif 000002
【図２】
0006479630.tif 000003
【図３】
0006479630.tif 000004
【図４】
0006479630.tif 000005
【図５】
0006479630.tif 000006
【図６】
0006479630.tif 000007
【図７】
0006479630.tif 000008
【図８】
0006479630.tif 000009
【図９】
0006479630.tif 000010